(57)【特許請求の範囲】
【請求項１】
頂板は有するが下部が開口する円筒状ハウジングがベース上に固定され、ハウジングの頂板に、ラジアル方向に着磁されたリング状のマグネットを外周に備えるステータヨークの上端部が固定され、このステータヨークの中央にあけた縦孔内に上端部が嵌入固定された固定軸の下端がベースに固定され、下部が整流子を兼ねる円筒部と、この円筒部から外側に向かうフランジ部と、このフランジ部の外周辺部から上方へ突出する複数の支持突起とよりなる支持体に、内側面が前記マグネットの外周面に対峙する複数の極歯をリング状の本体部の内側に有し、各極歯の脚部まわりにコイルが捲装され、外周辺部に偏心分銅が取り付けられたコアの隣り合う極歯間に前記支持体の支持突起を嵌入してコアを取り付け、前記支持体の下部における整流子がベース上に設けられたブラシと接触するように支持体を固定軸まわりに回転可能に設けてなる振動モータ。
【請求項２】
前記ステータヨークは、下部が開口する円筒状に形成され、前記支持体の円筒部の上部をステータヨーク内に臨ませてなる請求項１に記載の振動モータ。
【請求項３】
前記固定軸の下端が、上部に外周フランジを有する円柱状の座台の上面に形成した中央凹部に嵌入固定され、この座台の下部が、ベースにあけられ、座台の下部の外径よりも内径の大なる中央孔内に臨むようにして座台がベースに固定されてなる請求項１に記載の振動モータ。
【請求項４】
前記支持体における円筒部の内面に、上下の部分よりもわずかに内径の大なる大内径部を形成して固定軸と円筒部との間にオイル溜めを設けてなる請求項１に記載の振動モータ。
【請求項５】
前記マグネットの重心を通る水平面が、前記コアの重心を通る水平面よりも上方に位置し、コアがマグネットの磁力によって常に上方へ吸引されるようにした請求項１に記載の振動モータ。
【請求項６】
頂板は有するが下部が開口する円筒状ハウジングがベース上に固定され、ハウジングの頂板に、上部は閉じているが下部が開口し、ラジアル方向に着磁されたリング状のマグネットを外周に備えるステータヨークの上端部が固定され、このステータヨーク内に円筒状の軸受スリーブが嵌入固定され、下部が整流子を兼ねる円筒部と、この円筒部から外側に向かうフランジ部と、このフランジ部の外周辺部から上方へ突出する複数の支持突起とよりなる支持体を回転軸まわりに固定し、内側面が前記マグネットの外周面に対峙する複数の極歯をリング状の本体部の内側に有し、各極歯の脚部まわりにコイルが捲装され、外周辺部に偏心分銅が取り付けられたコアの隣り合う極歯間に前記支持体の支持突起を嵌入してコアを支持体に取り付け、前記支持体の下部における整流子がベース上に設けられたブラシと接触するように前記回転軸の上部を前記軸受スリーブ内に回転可能に取り付けてなる振動モータ。
【請求項７】
前記軸受スリーブの内面に、動圧溝を形成してなる請求項６に記載の振動モータ。
【請求項８】
前記偏心分銅を、少なくともその一部分が前記コアのリング状本体部の上下面と重なるようにコアに取り付けてなる請求項１または請求項６に記載の振動モータ。
【発明の詳細な説明】
【０００１】
【発明の属する技術分野】
本発明は偏心分銅を備え、携帯電話やＰＨＳ（Ｐｅｒｓｏｎａｌ  Ｈａｎｄｙｐｈｏｎｅ  Ｓｙｓｔｅｍ）等の小型電話機のバイブレータ呼び出し用として好適な小型の振動モータに関する。
【０００２】
【従来の技術とその問題点】
偏心分銅を備える振動モータには従来から各種の構造のものがある。
近年、携帯電話やＰＨＳ等の小型電話機において、着信音を鳴らさずに着信を知らせる手段として、電話機内に小型の振動モータを設け、着信音を鳴らす代わりにこの振動モータを駆動せしめて電話機自体を振動させ、この振動により使用者に着信を知らせるようにしたものがあり、このような電話機の機能は「バイブレーション機能」として殆ど全ての小型電話機に搭載されている。
【０００３】
上述した用途に従来から一般的に使用されている振動モータには、図９に示すようなものがあり、モータ本体３１から外部へ導出された回転軸３２の先端に、偏心分銅３３が取り付けられている。
【０００４】
このような振動モータは、近年より一層の小型化が進む携帯電話等の内部に収納されるので、モータ本体３１は直径が６ｍｍ程度、長さが１２ｍｍ程度の極めて小型のものが使用され、回転軸３２は直径が０．７ｍｍ程度、偏心分銅３３には重さ０．５〜０．７ｇ程度のものが一般的に使用されている。
【０００５】
しかし、上述した従来の振動モータでは偏心分銅３３がモータ本体３１の外部に設けられているので、偏心分銅が電話機内部における電子回路等の他の構成部材に接触しないように、これらの構成部材とは充分な間隔をあけて取り付ける必要があるので、取付位置の自由度が低いという問題がある。
【０００６】
また、小型電話機に使用される偏心モータには上述したように小型であることのほかに、落下衝撃に対する充分な強度も要求される。
【０００７】
しかし上述した従来のものでは、直径が０．７ｍｍ程度の細い回転軸３２の先端に偏心分銅３３が設けられているので、回転軸３２に対してラジアル方向の衝撃が加わるとモータ本体３１から導出されている部分の基部に衝撃による力が集中してこの部分で折れ曲がり易く、電話機内の周囲の部材に対して偏心分銅が接触して回転できなくなるという不具合が生じる。
【０００８】
特に、振動量（振動の強さ）を大ならしめることを目的として偏心分銅の偏心量や重量を大ならしめると、落下時において回転軸に掛かる力はより大となり、落下衝撃に対する強度は低下する。
【０００９】
振動モータは、上述した小型電話機用以外にも、工業用試験機器等の測定機械器具において所定の振動を発生させたり、ゲーム機等における仮想現実体験用の振動発生源として用いたり、あるいは小型あんま機のマッサージ振動発生源として用いられ、これらのような使用目的においても上述した小型電話機用の振動モータと同様に耐衝撃性の向上およびより一層の小型化が求められている。
【００１０】
【目的】
本発明の目的とするところは、充分な振動量を得ることができ、しかも小型電話機等の被組み付け機器に対する取付スペースの自由度が高く、かつ衝撃に対する充分な強度を有する振動モータを提供することにある。
【００１１】
【本発明の構成】
上記目的を達成するために、本発明の請求項１に係る振動モータは、頂板は有するが下部が開口する円筒状ハウジングがベース上に固定され、ハウジングの頂板に、ラジアル方向に着磁されたリング状のマグネットを外周に備えるステータヨークの上端部が固定され、このステータヨークの中央にあけた縦孔内に上端部が嵌入固定された固定軸の下端がベースに固定され、下部が整流子を兼ねる円筒部と、この円筒部から外側に向かうフランジ部と、このフランジ部の外周辺部から上方へ突出する複数の支持突起とよりなる支持体に、内側面が前記マグネットの外周面に対峙する複数の極歯をリング状の本体部の内側に有し、各極歯の脚部まわりにコイルが捲装され、外周辺部に偏心分銅が取り付けられたコアの隣り合う極歯間に前記支持体の支持突起を嵌入してコアを取り付け、前記支持体の下部における整流子がベース上に設けられたブラシと接触するように支持体を固定軸まわりに回転可能に設けたものとしてある。
【００１２】
本発明の請求項２に係る振動モータは、前記ステータヨークが、下部が開口する円筒状に形成され、前記支持体の円筒部の上部をステータヨーク内に臨ませてたものとしてある。
【００１３】
本発明の請求項３に係る振動モータは、前記固定軸の下端が、上部に外周フランジを有する円柱状の座台の上面に形成した中央凹部に嵌入固定され、この座台の下部が、ベースにあけられ、座台の下部の外径よりも内径の大なる中央孔内に臨むようにして座台がベースに固定されたものとしてある。
【００１４】
本発明の請求項４に係る振動モータは、前記支持体における円筒部の内面に、上下の部分よりもわずかに内径の大なる大内径部を形成して固定軸と円筒部との間にオイル溜めを設けたものとしてある。
【００１５】
本発明の請求項５に係る振動モータは、前記マグネットの重心を通る水平面が、前記コアの重心を通る水平面よりも上方に位置し、コアがマグネットの磁力によって常に上方へ吸引されるようにしたものとしてある。
【００１６】
本発明の請求項６に係る振動モータは、頂板は有するが下部が開口する円筒状ハウジングがベース上に固定され、ハウジングの頂板に、上部は閉じているが下部が開口し、ラジアル方向に着磁されたリング状のマグネットを外周に備えるステータヨークの上端部が固定され、このステータヨーク内に円筒状の軸受スリーブが嵌入固定され、下部が整流子を兼ねる円筒部と、この円筒部から外側に向かうフランジ部と、このフランジ部の外周辺部から上方へ突出する複数の支持突起とよりなる支持体を回転軸まわりに固定し、内側面が前記マグネットの外周面に対峙する複数の極歯をリング状の本体部の内側に有し、各極歯の脚部まわりにコイルが捲装され、外周辺部に偏心分銅が取り付けられたコアの隣り合う極歯間に前記支持体の支持突起を嵌入してコアを支持体に取り付け、前記支持体の下部における整流子がベース上に設けられたブラシと接触するように前記回転軸の上部を前記軸受スリーブ内に回転可能に取り付けたものとしてある。
【００１７】
本発明の請求項７に係る振動モータは、前記軸受スリーブの内面に、動圧溝を形成したものとしてある。
【００１８】
本発明の請求項８に係る振動モータは、前記偏心分銅を、少なくともその一部分が前記コアのリング状本体部の上下面と重なるようにコアに取り付けたものとしてある。
【００１９】
本発明に係る振動モータの実施態様の第１は、前記ハウジングを若干弾性を有する素材、厚さのもので構成し、外部からの衝撃を受けると弾性変形して分銅の上端面に接触し、分銅に掛かる衝撃がハウジングに分散されて衝撃が緩和されるようにした構成のものとしてある。
【００２０】
また、実施態様の第２は、上記ハウジングを厚さ０．１０〜０．１５ｍｍのステンレス鋼よりなるものとしてある。
【００２１】
さらに実施態様の第３は、前記支持体の円筒部下端とベース上面との間の隙間αと、分銅の下面とベース上面との間の隙間βをほぼ同じ寸法に設定し、分銅にスラスト方向の衝撃が加わると、分銅の下端面と支持体の下端面がほぼ同時にベース上面に接触して衝撃が分散されるように構成したものとしてある。
【００２２】
【実施例】
以下、本発明に係る振動モータの実施例を添付図面に示す具体例に基づいて詳細に説明する。
図中の符号１はベース、２はハウジングを示し、下部開口の円筒状に形成されたハウジング２の頂板２ａの中央にあけた孔２ｂ内にステータヨーク３の上端部が加締め固定されている。
【００２３】
上記ステータヨーク３は下部が開口する円筒状に形成されていて、頂部中央にあけた縦孔３ａ内に固定軸４の上端部が圧入や接着等により固定され、またステータヨークの外周にリング状のマグネット５を取り付けてあり、このマグネットはラジアル方向に着磁されている。
【００２４】
前記固定軸４の下端には座台６を設けてあり、この座台は上面に形成された中央凹部６ａに固定軸の下端が嵌入固定され、外周フランジ６ｂの下面が前記ベースの中央孔１ａの上部内周面に形成された段差部１ｂの上面にて支持され、この段差部へ接着剤にて固定されている。
【００２５】
なお、座台６は段差部への接着前においては水平方向に移動できるよう座台下部６ｃ外周面とベースの中央孔１ａ内周面との間に適宜の遊びを設けてあり、固定軸４の芯合わせを行なってから座台を段差部へ接着等の手段によって固定することにより、固定軸をベースに対して正確に垂設できるように構成してある。
【００２６】
しかして、前記固定軸４のステータヨーク３と座台６との間における外周には支持体７を固定軸まわりに回転可能に設けてあって、支持体の円筒部７ａ上部をステータヨーク３内に臨ませてあり、支持体は円筒部７ａの軸線方向中央部の外周にフランジ部７ｂを有し、このフランジ部の外周辺部に上方へ突出する複数の支持突起７ｃ、７ｃが形成されていて、上記円筒部、フランジ部および支持突起を、例えばポリフェニレンサルファイド等の合成樹脂材により同一材で一体に形成してある。
【００２７】
前記円筒部７ａ内面における軸線方向の中央部には、同円筒部内面の上下の部分よりも若干内径の大なる大内径部７ｄを形成してあり、この大内径部は固定軸４との間におけるオイル溜めとして機能し、固定軸４に対する支持体７の回転をより円滑ならしめるようにしてある。
【００２８】
上記支持体７はコア８の内周辺部を支持しており、このコアはリング状のコア本体部８ａの内側から内方に突出し、内側面が前記マグネット５の外周面に対峙する極歯８ｂ、８ｂを有している。
【００２９】
また、前記支持体７の支持突起７ｃ、７ｃはコア８の隣り合う極歯８ｂ、８ｂ間とコア本体部８ａ内周面との間に嵌入され、この支持突起によって支持体に対するコアの位置合わせがなされ、かつ前記フランジ部とともにコアを支持するようになっている。
【００３０】
コア８は、例えば珪素鋼板よりなり、少なくとも上下面および極歯の脚部まわりに、例えばポリブチレンテレフタレート等の合成樹脂材よりなる保護部材９をモールド成型により設けてあり、各極歯８ｂの脚部まわりにコイル１０を捲装してあって、コイルの巻線がコアに直接接触しないように構成してある。
【００３１】
上記コイル１０の巻線端部は、支持体７の円筒部７ａ下部に設けた整流子１１に接続されており、この整流子はベース１上に設けたブラシ１２と接触するように設けられている。
【００３２】
また、前記コア８の外周辺部には、偏心錘たる瓦状の分銅１３を取り付けてあり、この分銅は例えばタングステンよりなり、内周面の長手方向に形成した溝１３ａをコアの外周辺部に嵌合せしめて接着剤等で固定してある。このように分銅に溝を設けてコアに嵌合せしめると、分銅は溝の深さ分コアの上下面に重なり、したがって溝のない分銅をコアの外周縁に取り付ける場合に比して分銅の回転半径を小ならしめることができ、振動モータの小型化を図ることができる。
【００３３】
上記コア８は、軸線方向において前記マグネット５よりも下方に位置せしめてあって、より詳しくは前記マグネット５の重心を通る水平面ＭＰをコアの重心を通る水平面ＣＰよりも上方に位置せしめてあり、コアはマグネットの磁力によって常に上方に吸引された状態となるようにしてある。
【００３４】
したがって、支持体は円筒部７ａ上端がランナー１４に当接させられ、円筒部下端と座台との間に隙間があいた状態で回転し、通常の使用状態においては円筒部下端が座台上面に接触することがなく、これら円筒部下端と座台上面との接触に起因する損傷や磨耗のおそれがまずなく、長寿命の振動モータを実現できるというメリットがある。
【００３５】
なお、図中の符号１４は円筒部７ａの上端面とステータヨーク３の頂部内面との間に介在せしめた底摩擦係数の合成樹脂材よりなるリング状のランナー、１５はブラシ１２と接続され、ハウジング２外に導出された端子を示す。
【００３６】
上述のように構成した本発明の振動モータは、端子１５に駆動用の電流を供給すると、ブラシ１２および整流子１１を経てコイル１０に通電され、コア８の極歯に生じる磁力とマグネット５との間の磁気的吸引・反発力によってコアが支持体７および分銅１３とともに固定軸４まわりに回転駆動され、分銅１３の偏心回転に伴って振動が発生する。
【００３７】
落下等によって振動モータが衝撃を受けた場合、固定軸４は軸長が短く、かつステータヨーク３と座台６にて両端が支持されていて、両端支持部の間に支持体７を設けてあるので、衝撃力が回転軸の一部に集中して回転軸を破損するようなおそれはまずない。
【００３８】
また、支持体７はその円筒部７ａの上部がステータヨーク３の開口下部から内部に臨んでいて、支持体と回転軸との軸線方向における接触長さを大ならしめてあるので、支持体から回転軸に掛かる力が充分に分散され、しかも分銅の重心を通る水平面が支持体の円筒部７ａの上部を通るので、落下衝撃により分銅に掛かる力のラジアル方向成分が円筒部の上部に掛かり、支持体のねじれが生じにくく、したがってラジアル方向の衝撃力に対する強度が大である。
【００３９】
さらに本実施例の振動モータにおいては、支持体７の円筒部下端面と座台６の上端面との間の隙間αと、分銅１３の下端面とベース１の上端面との間の隙間βの寸法をほぼ同じとしてあり、落下衝撃力のスラスト方向成分によって分銅１３および支持体７が下方に移動した場合には分銅の下端面と支持体の下端面がほぼ同時にベース１の上面に接触して衝撃が分散されるようにしてある。
【００４０】
なお、モータの停止時においてもコア８がマグネット５によって磁気的に吸引されているので、支持体７下端面と座台６の上端面の隙間αはモータの回転、停止にかかわらず常に一定に維持される。
【００４１】
また、ハウジング２を例えば厚さ０．１０〜０．１５ｍｍ程度の薄手のステンレス鋼（例えばＳＵＳ３０３）で構成して若干弾性を有するものとし、振動モータに衝撃が与えられるとハウジング２が若干変形して分銅１３の上端面に接触し、分銅に掛かる荷重をハウジングで受け、分銅から支持体に掛かる衝撃を緩和するように構成してある。なお、ハウジングの厚さを０．１０ｍｍ未満にすると、ハウジングによるステータヨークの支持が不安定となるおそれがあり、また０．１５ｍｍよりも大にすると上述した衝撃の緩和作用が十分に得られない。
したがって、スラスト方向の衝撃力に対しても充分な強度が得られる。
【００４２】
次ぎに、上述した実施例の振動モータの製作工程について説明する。
まず、予め保護部材９をモールドしたコア８の各極歯８ｂの脚部にコイル１０を捲装し、隣り合う極歯８ｂ、８ｂとコア本体部８ａとの間に支持体７の支持突起７ｃを嵌入し、フランジ部７ｂの外周辺部をコア８の内周下辺部に当接せしめ、支持突起とコアとの間を接着固定する。
【００４３】
そしてコイル１０の巻線端部を整流子１１に接続し、その後、分銅の溝１３ａをコア８の外周辺部に嵌合せしめて接着固定する。
以上の工程により、支持体７、コア８および分銅１３よりなる回転部材が製作される。
【００４４】
上述した回転部材の製作工程とは別に、ステータヨーク３をハウジング２の中央孔２ｂ内に加締め固定し、ステータヨークの外周面にマグネット５を接着により固定し、その後、ステータヨークの縦孔３ａ内に固定軸４の上端を圧入や接着等により固定する。
【００４５】
そして固定軸４にその下端側からランナー１４を遊嵌し、前述した工程によりコア８、分銅１３を予め取り付けた支持体７の円筒部７ａを固定軸４に嵌合せしめ、その後、固定軸４の下端に座台６の中央凹部６ａを圧嵌や接着により固定する。
【００４６】
次ぎに、ベース１を、その中央孔１ａ内に座台下部６ｃが臨むように取り付け、この状態でハウジング２の下端部を外側から加締め、さらに接着剤にてベース１まわりに固定する。
【００４７】
その後、座台６の小径部６ｃとベースの中央孔１ａ内面との間に接着剤を流し込んで硬化せしめる。かくすることにより、固定軸４の上端部を支持しているステータヨーク３のハウジング２に対する取り付け位置やハウジング２のベース１に対する取り付け位置に水平方向の誤差が生じて、これらの誤差によって固定軸４の上端位置がずれても、固定軸の上端位置のずれに対応して固定軸の下端を支持する座台６の水平方向の位置がベースの中央孔１ａ内で移動するので、製作時における組み付け誤差によって固定軸に傾きが生じるようなおそれはまずない。
【００４８】
したがって、固定軸の傾きによって回転部材がハウジングやベースに接触するというような製作時の組み付け誤差に起因する不良品の発生が殆どなくなり、製品歩留まりの向上を期すことができる。
【００４９】
なお、座台６とベース１間の接着には、任意のタイミングで迅速に硬化させることができる紫外線硬化タイプや２剤混合タイプの接着剤を用いるのが好適である。
【００５０】
上述した第１実施例の振動モータにおいては、分銅１３の内面に形成した溝１３ａをコア８の外周辺部に嵌合固定する構成としてあるが、図３、４に示す第２実施例のもののようにコア８の外周辺部の上下面にそれぞれ上下の分銅１６ａ、１６ｂを接着固定して、分銅全体をコアの上下面と重なるようにする場合もあり、この場合には各分銅の外周面をコア８の外周面に揃え、分銅の内周面がコイル１０に接触しないように分銅とコイルとの間に保護部材９を介在せしめる。
【００５１】
この第２実施例のものでは、分銅１６ａ、１６ｂが２分割タイプであるので、第１実施例のものに比して分銅の取り付けに若干の手間が掛かるが、分銅の最大回転半径をコア８の最大回転半径と同じにすることができ、振動モータのより一層の小型化を実現できるというメリットがある。
【００５２】
上述した第１および第２実施例では、ともに円筒状に形成したステータヨーク３内に支持体７の円筒部７ａ上部を臨ませる構成としてあるが、図５に示す第３実施例のもののように、ステータヨーク１７を、固定軸４を嵌入固定せしめるための縦孔１７ａを有する円柱状のもので構成するとともに、支持体１８を、フランジ部１８ｂの上方に円筒部１８ａが突出しない形状のものとし、円筒部がステータヨーク内に臨まない構成とする場合もある。なお、同図５において符号１８ｃは支持突起を示す。
【００５３】
また、同図５のもののように、固定軸４の下端をベース１の上面に形成した欧部１ｃに直接嵌入固定して座台６を設けない場合もある。
【００５４】
上述した第１乃至第３実施例のものは、いずれも軸が回転しない軸固定タイプのものであるが、図６、７に示される第４実施例のもののように軸回転タイプのものとする場合もある。
【００５５】
しかして、第４実施例のものにおいては、上部は閉じているが下部が開口する円筒状のステータヨーク１９内に、低摩擦係数の合成樹脂材よりなる円板状のスラスター２０と、同じく低摩擦係数の合成樹脂材よりなり、上下が開口する円筒状の軸受スリーブ２１を設けてあり、軸受スリーブ２１内に回転軸２２の上半部が回転可能に挿入され、回転軸２２の上端はスラスター２０に当接させられている。
【００５６】
上記軸受スリーブ２１の内周面には、図８に示されるように例えばヘリンボーン状の動圧溝２４を形成してあり、回転軸との間の摩擦をより小ならしめるように構成してある。
なお、回転軸２２の上端は球面状に形成されていて、スラスターに対する接触面積を小ならしめ、回転時の安定性を向上せしめてある。
【００５７】
上記回転軸２２の下半部には、支持体２３を固定してあり、この支持体は整流子を兼ねる円筒部２３ａと、この円筒部の上端部から外側に向かうフランジ部２３ｂと、フランジ部の外周辺部から上方へ突出する複数の支持突起２３ｃとよりなるものとしてある。
【００５８】
この実施例の振動モータにおける他の構成は、第１実施例のものと同じであり、マグネット５の重心を通る水平面ＭＰをコア８の重心を通る水平面ＣＰよりも上方に位置せしめてコア８、支持体２３および回転軸２２よりなる回転部材をマグネットのコアに対する磁気吸引力により上方へ引き付けている。
【００５９】
したがって、回転軸２２の上端は常にスラスター２０に当接させられ、回転軸の下端とベース上面との間には隙間γがあけられ、この隙間γは分銅１３の下端面とベース１上面との間の隙間βとほぼ同じにしてある。
【００６０】
【発明の効果】
本発明に係る振動モータは、ハウジング内に分銅を設けてあるので、振動モータを小型電話機等の被組付機器内に取り付ける際に、分銅の駆動スペースを全く考慮する必要がなく、被組付機器の設計の自由度が格段に向上し、また軸は軸長が短いので、外部からの衝撃によって折れ曲がるような破損のおそれが殆どない。
【００６１】
また、下部が開口するステータヨーク内に、支持体の円筒部の上部を臨ませてあるので、固定軸に対する支持体の組付け長さが大であり、かつ、分銅の重心を通る水平面が円筒部の上部を通り、したがって外部からの衝撃によって分銅に掛かる力のラジアル方向成分が固定軸のほぼ全長に亘って分散し、支持体のねじれや破損のおそれが殆どなく、耐久性の高い振動モータを実現することができる。
【００６２】
さらに、固定軸の下端は座台を介してベースに固定してあり、座台の下部はベースの中央孔に対して水平方向に移動可能な寸法に設定されているので、振動モータの製作工程の最後に座台とベースを接着固定し、この際に座台の水平位置を調節することによって固定軸の立設角度を正確に設定することができ、製作時における各部材の組み付け誤差が生じても、この組み付け誤差によって固定軸に傾きが生じるようなおそれはまずなく、したがって、固定軸の傾きによって回転部材がハウジングやベースに接触するというような製作時の組み付け誤差に起因する不良品の発生が殆どなくなり、製品歩留まりの向上を期すことができる。
【００６３】
また、マグネットの重心を通る水平面を、コアの重心を通る水平面よりも上方に位置せしめてあるので、コアがマグネットの磁力により上方へ吸引され、したがって支持体がコアとともに上方へ引き上げられているので、通常のモータ駆動時すなわち外部からの衝撃を受けていない状態においては、支持体や回転軸がベースと接触するおそれはまずなく、これら支持体や回転体がベースに接触することによる各部材の損傷や磨耗の発生が殆どなく、耐久性が大で寿命の長い振動モータを実現することができる。
【００６４】
さらに、分銅の少なくとも一部がコアのリング状本体部の上下面に重なるように分銅をコアに取り付けるので、分銅をコアの外周縁に取り付ける場合に比して分銅の回転半径を小ならしめることができ、小型の振動モータを実現することができる。
【図面の簡単な説明】
【図１】本発明に係る振動モータの第１実施例を示す縦断正面図。
【図２】図１のＩＩ−ＩＩ線横断平面図。
【図３】本発明に係る振動モータの第２実施例を示す縦断正面図。
【図４】図３のＩＶ−ＩＶ線横断平面図。
【図５】本発明に係る振動モータの第３実施例を示す縦断正面図。
【図６】本発明に係る振動モータの第４実施例を示す縦断正面図。
【図７】図６のＶＩＩ−ＶＩＩ線横断平面図。
【図８】軸受スリーブの縦断斜視図。
【図９】従来の振動モータの一例を示す斜視図。
【符号の説明】
１  ベース
２  ハウジング
３  ステータヨーク
４  固定軸
５  マグネット
６  座台
７  支持体
８  コア
９  保護部材
１０  コイル
１１  整流子
１２  ブラシ
１３  分銅
１４  ランナー
１５  端子
１６ａ、１６ｂ  分銅
１７  ステータヨーク
１８  支持体
１９  ステータヨーク
２０  スラスター
２１  軸受スリーブ
２２  回転軸
２３  支持体
２４  動圧溝
【図１】
0003606850.tif 000002
【図２】
0003606850.tif 000003
【図３】
0003606850.tif 000004
【図４】
0003606850.tif 000005
【図５】
0003606850.tif 000006
【図６】
0003606850.tif 000007
【図７】
0003606850.tif 000008
【図８】
0003606850.tif 000009
【図９】
0003606850.tif 000010